(57)【要約】【課題】購入後初めて設置する場合、あるいは転居等で居住地が変更になった場合、地域設定不要にして、単純な機械操作で、誰でも簡単に視聴チャンネル設定ができるデジタル放送受信装置を提供する。【解決手段】放送帯域の周波数を自動スキャンして、受信レベルを検出し、一番高い受信レベルのものを視聴チャンネルに自動設定することにより、ユーザーの地域設定が不要で簡単操作となる。【選択図】図１
2009273099.tif 000002
【特許請求の範囲】
【請求項１】
地上デジタル放送を受信する装置において、放送帯域の周波数を自動スキャンして受信した信号の受信レベルを検出する信号レベル検出手段と、前記信号レベル検出手段が検出した一番受信レベルの高い受信信号を選択する選択手段と、前記選択手段で選択した信号のものを視聴チャンネルに設定する設定手段と、を有することを特徴とするデジタル放送受信装置
【請求項２】
前記受信した信号のものを、前記信号レベル検出手段が検出した受信レベルの高い順に、視聴可能チャンネルとして表示する表示手段と、前記表示手段によって表示された視聴可能チャンネルを選択操作する操作手段と、前記操作手段で視聴チャンネルを設定する設定手段と、を有することを特徴とする請求項１のデジタル放送受信装置
【請求項３】
視聴チャンネル設定をするための信号を送信するための入力手段と、前記入力手段により、放送帯域の周波数を自動スキャンさせて信号を受信する制御手段と、を有することを特徴とする請求項１及び請求項２のデジタル放送受信装置
【請求項４】
視聴チャンネルを設定するために、コンピュータを、放送帯域の周波数を自動スキャンさせ信号を受信する制御手段、受信した信号の受信レベルを検出する信号レベル検出手段、前記受信レベル検出手段が検出した一番受信レベルの高い受信信号を選択する選択手段、前記選択手段で選択した信号のものを視聴チャンネルに設定する設定手段、前記設定手段で設定した視聴チャンネルをメモリに格納して設定テーブルをする生成する設定テーブル生成手段、として機能させることを特徴としたデジタル放送受信装置のプログラム。
【発明の詳細な説明】
【技術分野】
【０００１】本発明は地上波によるデジタル放送を視聴できるチャンネルが自動的に設定するデジタル放送受信装置とそのプログラムに関する。
【背景技術】
【０００２】地上波によるデジタル放送の受信装置は、購入後初めて設置した場合、あるいは転居等で居住地が変更になった場合、受信者、すなわちユーザーによる視聴可能チャンネル設定が必要になる。一般的には図６に示すフローで視聴チャンネルを設定している。ステップＳ１０１で初めて電源ＳＷをオンするとステップＳ１０２でアンテナ等の設置接続確認の画面が表示し、ステップＳ１０３でＯＫかの確認メッセージを誘導するので、ステップＳ１０４でＹＥＳを選択指示した場合、ステップＳ１０５で初期設定入力画面が表示され、入力誘導メッセージに従い、ステップＳ１０６で初期チャンネル設定のメニューを選択操作すると、ステップＳ１０７で受信装置の設置地域の都道府県の入力画面になり、ステップＳ１０８で該当の地域の都道府県（例えば、東京や大阪）を入力設定操作すると、ステップＳ１０９で受信装置がデジタル放送帯域の全チャンネルスキャンを実施して、ステップＳ１１０でステップＳ１０８にて選択した地域の該当した視聴可能チャンネル（放送局名、チャンネル番号など）の一覧を画面表示し、ステップＳ１１１でＯＫかの確認メッセージを誘導し、ＹＥＳの場合、ステップＳ１１２で確認設定操作をする、ＮＯの場合、ステップＳ１１３で画面メッセージに従い、希望のチャンネルを選択指示する手動修正作業を実施して、同じくステップＳ１１２で確認設定操作をすると、ステップＳ１１４で視聴チャンネル設定が完了することができ、デジタル放送が受信できるようになる。なお、前記ステップＳ１０３にて、ＮＯと選択した場合は、ステップＳ１１４で、電源ＳＷをオフし、アンテナ等の設置接続をした後、前記ステップＳ１０１から再度、電源ＳＷをオンして、チャンネル操作をする。【０００３】また、転居等で地域が変更になった場合は、リモコン等のメニュー画面を選択操作すると、受信機の各種設定メニューが表示されるので、チャンネル再設定を選択操作すると、図５のステップ１０７の地域設定の画面が表示されるので、その後は上記説明と同一処理になり、視聴チャンネルの再設定ができる。【０００４】また、特許文献１に記載の発明は、当該地域で放送している地上デジタル放送局の放送周波数を自動的に確定するため、前処理として受信した複数のアナログ放送の周波数郡と全て一致した場合に当該地域と判定して、地域設定の入力操作を不要とする構成である。
【特許文献１】  特開２００５−１９２０６５
【発明の開示】
【発明が解決しようとする課題】
【０００５】しかしながら、上記した図６の従来のものでは、購入後初めて設置する場合、あるいは転居等で居住地が変更になった場合、その度ごと、ユーザーはデジタル放送受信装置機の視聴チャンネル設定にあたり、当該画面のメッセージに従い当該操作入力が多数回必要であるとともに、設置地域名を入力操作が必要である。また、操作に不慣れなユーザーの場合、多数回の操作途中で誤操作の可能性もあり、視聴チャンネル設定に煩わしさがあり、簡単にデジタル放送を受信できないという大変不便な問題があった。【０００６】また、特許文献１に記載の発明は、アナログ放送を受信して該当地域を判定して、デジタル放送を受信する構成であり、デジタル放送受信装置のみでは対応できない。【０００７】本発明は、前記した問題を解決し、購入後初めて設置する場合、あるいは転居等で居住地が変更になった場合でも、単純な機械操作で、誰でも簡単に視聴チャンネル設定ができるデジタル放送受信装置を提供することを目的とする。
【課題を解決するための手段】
【０００８】前記した課題を解決するために、請求項１に係るデジタル放送受信装置は、放送帯域の周波数を自動スキャンして、受信した信号の受信レベルを検出する信号レベル検出手段と、前記信号レベル検出手段が検出した一番受信レベルの高い受信信号を選択する選択手段と、前記選択手段で選択した信号のものを視聴チャンネルに設定する設定手段と、を有する構成とした。【０００９】かかる構成によれば、一番高い受信レベルの地域を選択して、その地域の放送局名を自動的に取得して視聴チャンネルを設定することができる。【００１０】請求項２に係るデジタル放送受信装置は、請求項１に係るデジタル放送受信装置において、前記信号レベル検出手段が検出した受信レベルの高い順に視聴可能チャンネルとして表示する表示手段と、前記表示手段によって表示された視聴可能チャンネルを選択操作する操作手段と、をさらに有する構成とした。【００１１】かかる構成によれば、都道府県境等で生じる各放送範囲の境界において、希望する視聴チャンネルを設定することができる。【００１２】請求項３に係るデジタル放送受信装置は、請求項１および請求項２に係るデジタル放送受信装置において、視聴チャンネル設定をするための信号を送信するための入力手段と、前記入力手段により、放送帯域の周波数を自動スキャンする制御手段と、をさらに有する構成とした。【００１３】かかる構成によれば、操作機能部からの入力により、自動スキャンすることができ、購入後初めて設置した場合、あるいは転居等で居住地が変更になった場合でも視聴チャンネルを設定することができる。【００１４】請求項４に係るデジタル放送受信装置のプログラムは、視聴チャンネルを設定するために、コンピュータを、自動スキャンさせ信号を受信する制御手段、信号レベル検出手段、一番受信レベルの高い受信信号を選択する選択手段、設定テーブル生成手段、視聴チャンネル設定テーブル生成手段、として機能させる構成とした。かかる構成によれば、プログラムは放送波を受信して、視聴チャンネルが設定できる。
【発明の効果】
【００１５】本発明は上記した構成により、以下のような優れた効果を発揮する。請求項１と請求項４の発明により、設置地域を画面入力操作せず、また、細かい操作を知らなくても簡単に視聴チャンネルが自動設定できる。【００１６】請求項２の発明により、境界地域にて複数の同一のサービスの視聴チャンネルが有った場合でも表示部に視聴チャンネルの候補が表示されるので、希望するサービスの視聴チャンネルが設定できる。【００１７】請求項３の発明により、操作機能部の入力手段、例えば、単純な設定ボタンを押すことにより、自動スキャンを開始して視聴チャンネルが自動設定できる。また、転居等で居住地が変更になった場合でも簡単容易に再設定ができる。また、操作に不慣れな人も該当設定ボタンを押すだけで簡単かつ容易な操作で視聴チャンネルが自動設定できるので大変便利である。
【発明を実施するための最良の形態】
【実施例】
【００１８】以下、本発明の実施形態について、適宜図面を参照しながら説明する。図１は本発明の第１実施形態におけるデジタル放送受信装置のブロック図、図２は同じくメモリー部の視聴チャンネル設定テーブル構成図、図３は同じく第１の視聴チャンネル設定フローチャートである。【００１９】図１において、デジタル放送受信装置１はアンテナ２から放送電波を取り込み、該当電波を取得する地上波チューナ部３、プログラムが内蔵され地上波チューナ部３を制御するコンピュータのシステムコントローラ部４とメモリ部５、地上波チューナ部３の出力を映像音声信号に変換する映像音声デコード部６および該当電波の受信レベルを判定する受信レベル検出部７、映像音声デコード部６の出力を入力して放送を視聴する、また、システムコントローラ部４からの誘導メッセージ等を表示する表示機能部９、視聴者が希望する放送チャンネルの指示や視聴可能チャンネルの初期設定や再設定の指示等をするボタン等を有する操作機能部８で構成される。【００２０】視聴者は操作機能部８のボタン等の入力手段にて初期設定や再設定の指示により、システムコントローラ部４のプログラムより、放送周波数帯域を地上波チューナ部３により順次スキャンを実行し、受信レベル検出部７にて該当周波数、即ちチャンネルの受信レベルを判定し、予め設定された閾値以上のものをメモリ部５の視聴可能チャンネル設定テーブルに順次記憶する。【００２１】図２において、メモリ部５の視聴可能チャンネルの設定テーブルは、スキャン結果を順次記憶する視聴可能チャンネルの候補領域、この領域には受信レベル値、チャンネル内容（地域名、放送局名、チャンネル番号等）を記憶し、受信レベル値等から予め定めた基準により選択した結果のチャンネル内容（地域名、放送局名、チャンネル番号等）を記憶する視聴チャンネル設定領域で構成される。【００２２】図３のフローチャートにとともに、視聴チャンネルの自動設定について説明する。
ステップＳ１で、設定ボタン等のワンタッチ動作等の入力手段による設定指示により、視聴チャンネル設定を開始するための信号を送信すると、コンピュータのチャンネル設定プログラムが起動され、ステップＳ２で、放送波が受信されているか否かを判定し、受信されている場合、ステップＳ３でスキャンを開始して、全放送帯域のスキャンを完了して、受信信号レベルを検出し、ステップＳ４の判定手段で、既に以前スキャンした情報があるか否かを判定し、無い場合、ステップＳ５の判定手段で同じ放送サービスが複数個見つかったか否かを判定し、複数個なかった場合、即ち一つであるので、ステップＳ６のテーブル生成手段で、今回のスキャン結果を図２に示す設定テーブルに視聴チャンネルとして格納し自動登録、複数個見つかった場合は、ステップＳ８の選択手段で、信号レベルの高い順にナンバリングした、図２に示した視聴候補チャンネルテーブルから、受信レベルの一番高い信号を選択し、設定手段で前記選択した信号のものを視聴チャンネルに設定し、前記テーブル生成手段にて格納し自動登録、そして、ステップＳ７で自動設定のプログラムが完了する。前記、説明したフローは、購入後初めて受信装置を設置した場合の自動設定プログラムの処理手順となる。【００２３】なお、ステップＳ２の判定手段で、放送波が受信できていない場合、ステップＳ１２でタイムアウトでは無い場合は、再度ステップＳ２の処理に進む、タイムアウトが発生した場合、放送波が受信できないので、ステップＳ１３でアンテナ等の不接続等の設置不備を促す表示をする。このステップの処理は視聴チャンネル設定ができない原因を知らせるために設けられる。【００２４】前記、ステップＳ４の判定手段で、既に以前スキャンした情報を持っている場合、ステップＳ９の判定手段で、今回のスキャン結果が前回のスキャン結果と一致しているか否かを判定し、一致していない場合、即ち異なる放送サービスの場合は、ステップＳ５に進み、前記と同様のプログラム処理になり、視聴チャンネルを自動設定できる。一致した場合、ステップＳ１０の判定手段で、同じ放送サービスが複数個見つかっているか否かを判定し、見つかっていない場合はステップＳ６に進み、前記と同様のプログラム処理をして自動設定できる。【００２５】前記、ステップＳ１０の判定手段で複数個見つかった場合は、ステップＳ１１の視聴候補チャンネルテーブルから、前回登録設定した放送サービスの次の候補を放送サービスとして選択し自動登録設定して、ステップＳ７にて自動設定できる。本実施例ではステップＳ１０の判定で複数個見つかった場合は、前回と同一地域にて、意図的に視聴チャンネル設定を再度実行した場合を想定して、次のものを選択するようにした。ここの説明は、転居等で居住地が変更になった場合等の再設定処理手順となる。【００２６】上記説明における、同じ放送サービスとは、受信機の設置場所が、都道府県境の場合、たとえばＡ県とＢ県の境界地域に設置した場合、放送電波の強さによっては、Ｘ放送局のデジタル放送をＸ放送局・ＡとＸ放送局・Ｂの二つが受信できる可能性が発生する。購入後初めて受信機設置した場合は、ステップＳ８に示すように、受信レベルが一番高いものを選択する手段とした。一方、再設定の場合は、本実施例では、前回設定した次の候補のものを選択するようにしたが、前回と同じものを選択しても特に問題は無い。【００２７】以上の説明の設定フローによれば、画面表示のメッセージに従い操作入力が多数回不要で、設定のために１回のワンタッチ操作のみでよく、また、設置地域名の入力が不要にでき、視聴チャンネルを自動設定できるので大変簡単で且つ便利である。【００２８】図４は同じく第２の視聴チャンネル設定フローチャートである。図３に示したフローチャートの、ステップＳ６、ステップＳ８、ステップＳ１１の視聴チャンネルの設定テーブルへ格納する自動登録プログラムの替わりに、おのおの選択した視聴チャンネルの候補を画面表示する表示手段と、前記表示手段にて表示された視聴可能チャンネル候補を選択操作する操作手段とをさらに備える構成としたもので、ステップＳ５の判定で同じ放送サービスが複数個見つからない場合は、ステップＳ２１で今回のスキャン結果を第一候補として表示、複数個見つかった場合は、ステップＳ２５で受信レベルの高い順にナンバリングして、一番目を第一候補として並べて画面表示、そして、ステップＳ２２で表示されている候補でＯＫか否かの判定で、ＹＥＳの場合はステップＳ２３で確認の操作指示にてステップＳ２４で視聴チャンネルを設定する。また、ステップＳ１０の判定で、同じ放送サービスが複数個見つからない場合はステップＳ２１に進む、複数個見つかった場合は、ステップＳ２６で前回登録した次の放送サービスを第一候補として、視聴可能なサービスを並べて画面表示、そして、ステップＳ２２に進む。【００２９】また、ステップＳ２２の判定で、ＮＯの場合は、ステップＳ２７で、次の候補を選択指示操作して、ステップＳ２２の処理に進み、ＹＥＳの判定になるまで、候補を選択操作指示を繰り返して、視聴チャンネルを設定する。本実施例では前記実施例に比べ、操作が若干増えるが、同じく、設置地域名の入力を不要にでき、そして、候補チャンネルが表示でき、目視確認して視聴チャンネルが設定できるので簡単操作で大変便利である。【００３０】図５は本発明の第２実施形態におけるデジタル放送受信装置のブロック図である。
図５において、図１に示したものと同じものは同一の符号とする。図５において、デジタル放送受信装置１ｂはデジタル放送アダプタ１１とアナログ放送受信機等の放送受信機１２との端子間を信号線１３にて接続した構成であり、デジタル放送アダプタ１１はアンテナ２から該当電波を取得する地上波チューナ部３、システムコントローラ部４とメモリ部５、映像音声デコード部６および該当電波の受信レベルを判定する受信レベル検出部７、ボタン等を有する操作機能部８で構成する。本構成のデジタル放送受信装置も、前記放送受信機１２にて、デジタル放送サービスを視聴するために、前記説明した視聴チャンネル設定処理フローが適用できる。
【図面の簡単な説明】
【００３１】
【図１】  本発明の第１実施形態のデジタル放送受信装置のブロック図
【図２】  メモリ部の視聴チャンネル設定テーブル構成図
【図３】  本発明の第１の視聴チャンネル設定フローチャート
【図４】  本発明の第２の視聴チャンネル設定フローチャート
【図５】  本発明の第２実施形態のデジタル放送受信装置のブロック図
【図６】  従来のデジタル放送受信装置の視聴チャンネル設定フローチャート
【符号の説明】
【００３２】  １、１ｂ  デジタル受信装置
２    アンテナ
３    地上波チューナ部
４    システムコントローラ部
５    メモリ部
６    映像音声デコード部
７    受信レベル検出部
８    操作機能部
９    表示機能部
１１  デジタル放送アダプター
１２  放送受信機
１３  信号線
【図１】
2009273099.tif 000003
【図２】
2009273099.tif 000004
【図３】
2009273099.tif 000005
【図４】
2009273099.tif 000006
【図５】
2009273099.tif 000007
【図６】
2009273099.tif 000008